(57)【要約】【課題】遊技者が球の揚送状態を確認しながら操作できるようにする。【解決手段】揚送機構１４の下皿３から上皿２に揚送される球が下扉１の前から見えるように揚送機構１４が下扉１に設けられ、下皿３には下抜取扉８および揚送扉１１が開閉可能に設けられ、揚送機構１４が揚送動作を停止しかつ下抜取扉８が閉じた状態において揚送扉１１が開かれると揚送機構１４が球を下皿３から上皿２に揚送する態様になり、揚送機構１４が揚送動作を停止しかつ下抜取扉８が開いた状態において揚送扉１１が閉じられると揚送機構１４が球を上皿２に揚送し球が揚送機構１４に残存しない態様になり、揚送機構１４が揚送動作している最中において揚送扉１１が閉じられると揚送機構１４が揚送動作を停止し球が揚送機構１４に残存する態様になる。【選択図】図１
2008259730.tif 000002
【特許請求の範囲】
【請求項１】
揚送機構の下皿から上皿に揚送される球が揚送基盤の前から見えるように揚送機構が揚送基盤に設けられ、下皿には下抜取扉および揚送扉が開閉可能に設けられ、揚送機構が揚送動作を停止しかつ下抜取扉が閉じた状態において揚送扉が開かれると揚送機構が球を下皿から上皿に揚送する態様になり、揚送機構が揚送動作を停止しかつ下抜取扉が開いた状態において揚送扉が閉じられると揚送機構が球を上皿に揚送し球が揚送機構に残存しない態様になり、揚送機構が揚送動作している最中において揚送扉が閉じられると揚送機構が揚送動作を停止し球が揚送機構に残存する態様になることを特徴とする遊技機の皿揚球装置。
【請求項２】
揚送機構が揚送動作している最中において下抜取扉が閉じられると揚送扉が開かれて揚送機構が球を下皿から上皿に揚送する態様になり、揚送機構が揚送動作している最中において下抜取扉が開かれると揚送扉が閉じられて下皿から下方外部に抜き取られて球が揚送機構に残存しない態様になることを特徴とする請求項１記載の遊技機の皿揚球装置。
【請求項３】
下皿の球と接触する底面が球を下抜取扉で開閉される下抜取口に向けて流下させる斜面として構成され、下抜取扉が閉じた場合には下抜取扉の上面が球を球揚送扉で開閉される揚送入口に向けて流下させる斜面として構成され、球揚送扉が閉じた場合には球揚送扉の上面が球を下抜取扉で開閉される下抜取口に向けて流下させる斜面として構成されたことを特徴とする請求項１または請求項２記載の遊技機の皿揚球装置。
【発明の詳細な説明】
【技術分野】
【０００１】
本発明は、遊技者が球の揚送状態を確認しながら操作できる遊技機の皿揚球装置に関する。
【背景技術】
【０００２】
球を遊技媒体として使用するパチンコ遊技機などの遊技機では、下皿から上皿に球を搬送する皿揚球装置が知られている。図７は、特許文献１で開示された皿揚球装置を示す。図７において、揚送機構１４が揚送基盤としての下扉１の後部に設けられた構造であるので、遊技者が下扉１の前から球の揚送状態を確認しながら操作することができないという欠点がある。
【特許文献１】特開２００１−３５３３２２号公報
【特許文献２】特開２００３−３４００８６号公報
【特許文献３】特開２００４−２０１７７６号公報
【発明の開示】
【発明が解決しようとする課題】
【０００３】
発明が解決しようとする問題点は、遊技者が揚送状態を把握しにくいという点である。
【課題を解決するための手段】
【０００４】
本発明に係る遊技機の皿揚球装置は、揚送機構の下皿から上皿に揚送される球が揚送基盤の前から見えるように揚送機構が揚送基盤に設けられ、下皿には下抜取扉および揚送扉が開閉可能に設けられ、揚送機構が揚送動作を停止しかつ下抜取扉が閉じた状態において揚送扉が開かれると揚送機構が球を下皿から上皿に揚送する態様になり、揚送機構が揚送動作を停止しかつ下抜取扉が開いた状態において揚送扉が閉じられると揚送機構が球を上皿に揚送し球が揚送機構に残存しない態様になり、揚送機構が揚送動作している最中において揚送扉が閉じられると揚送機構が揚送動作を停止し球が揚送機構に残存する態様になることを最も主要な特徴とする。揚送機構が揚送動作している最中において下抜取扉が閉じられると揚送扉が開かれて揚送機構が球を下皿から上皿に揚送する態様になり、揚送機構が揚送動作している最中において下抜取扉が開かれると揚送扉が閉じられて下皿から下方外部に抜き取られて球が揚送機構に残存しない態様になるか、または、下皿の球と接触する底面が球を下抜取扉で開閉される下抜取口に向けて流下させる斜面として構成され、下抜取扉が閉じた場合には下抜取扉の上面が球を球揚送扉で開閉される揚送入口に向けて流下させる斜面として構成され、球揚送扉が閉じた場合には球揚送扉の上面が球を下抜取扉で開閉される下抜取口に向けて流下させる斜面として構成されてもよい。
【発明の効果】
【０００５】
本発明に係る遊技機の皿揚球装置は、揚送機構の下皿から上皿に揚送される球が揚送基盤の前から見えるように揚送機構が揚送基盤に設けられ、下皿には下抜取扉および揚送扉が開閉可能に設けられ、揚送機構が揚送動作を停止しかつ下抜取扉が閉じた状態において揚送扉が開かれると揚送機構が球を下皿から上皿に揚送する態様になり、揚送機構が揚送動作を停止しかつ下抜取扉が開いた状態において揚送扉が閉じられると揚送機構が球を上皿に揚送し球が揚送機構に残存しない態様になり、揚送機構が揚送動作している最中において揚送扉が閉じられると揚送機構が揚送動作を停止し球が揚送機構に残存する態様になるので、遊技者が球の揚送状態を確認しながら操作できるという利点がある。揚送機構が揚送動作している最中において下抜取扉が閉じられると揚送扉が開かれて揚送機構が球を下皿から上皿に揚送する態様になり、揚送機構が揚送動作している最中において下抜取扉が開かれると揚送扉が閉じられて下皿から下方外部に抜き取られて球が揚送機構に残存しない態様になるか、または、下皿の球と接触する底面が球を下抜取扉で開閉される下抜取口に向けて流下させる斜面として構成され、下抜取扉が閉じた場合には下抜取扉の上面が球を球揚送扉で開閉される揚送入口に向けて流下させる斜面として構成され、球揚送扉が閉じた場合には球揚送扉の上面が球を下抜取扉で開閉される下抜取口に向けて流下させる斜面として構成されれば、揚送入口が閉鎖されかつ下抜取口が開放されると、遊技者が球に触れることがなく、球が下皿の下抜取口から下皿の下方外部に抜き取られ、下抜取口が閉鎖されかつ揚送入口が開放されると、遊技者が球に触れることがなく、球が下皿から揚送入口を経由して揚送機構に送られるという利点がある。
【発明を実施するための最良の形態】
【０００６】
図１乃至図４は、発明を実施するための最良の形態である。図１は、皿揚球装置を示す。図２のａ図は皿揚球装置を備えたパチンコ遊技機の遊技機枠２１を示す。図２のｂ図は、揚送機構１４の断面を示す。図３は、下皿３の下抜取扉８および揚送扉１１の周りの断面を示す。図４は、皿揚球装置の内部を示す。本明細書において、「前」、「後」、「左」、「右」、「上」、「下」の方向は、図２のａ図の状態に遊技機枠を置いて矢印Ａで示す前側から見た場合に特定される方向である。
【０００７】
図１を参照し、遊技機の皿揚球装置について説明する。下扉１は、皿揚球装置の土台としての揚送基盤を構成するものである。下扉１には、上皿２、下皿３、上抜取操作体４、上抜取扉５、抜取通路６、下抜取操作体７、下抜取扉８、下抜取口９、揚送操作体１０、揚送扉１１、揚送入口１２、揚送視認部１３、揚送機構１４、下抜取スイッチ１５、揚送スイッチ１６、扉モータ１７、揚送モータ１８が設けられる。揚送機構１４が揚送視認部１３の後に配置される。よって、遊技者が、下扉１の前から揚送視認部１３を通して、揚送機構１４の中の球を見ながら、皿揚球装置を操作できるという利点がある。下抜取スイッチ１５、揚送スイッチ１６、扉モータ１７、揚送モータ１８は、制御装置１９に接続される。
【０００８】
皿揚球装置の動作について説明する。制御装置１９に内蔵されたコンピュータが電気の供給を受けて起動し、当該コンピュータが制御装置１９を示すブロックの中に図示したフローチャートにしたがった処理を実行する。つまり、制御装置１９に内蔵されたコンピュータが起動し、制御装置１９の処理が開始された状態において、揚送操作体１０が遊技者により操作され、揚送スイッチ１６が揚送開始信号を制御装置１９に出力すると、ステップ１０１の揚送スイッチオンであるかの判定がＹＥＳとなり、ステップ１０２に進む。
【０００９】
ステップ１０２では、揚送動作中であるかを判定する。ステップ１０２の判定において、揚送動作中であれば、揚送機構１４が揚送動作していることから、ステップ１０１で入力された揚送開始信号が再入力された２回目の揚送開始信号であり、ステップ１０２がＹＥＳになり、ステップ１０３に進む。ステップ１０３では、揚送扉１１が揚送入口１２を閉鎖するように、制御装置１９が扉モータ１７を制御し、ステップ１０４に進む。ステップ１０４では、制御装置１９が揚送モータ１８を停止し、コンピュータによる処理の１サイクルを終わる。
【００１０】
ステップ１０２の判定において、揚送動作中でなければ、揚送機構１４が揚送動作を停止していることから、ステップ１０１で入力された揚送開始信号が１回目の揚送開始信号であり、ステップ１０２がＮＯになり、ステップ１０５に進む。ステップ１０５では、下抜取扉８が下抜取口９を閉鎖しているかを判定する。ステップ１０５の判定において、下抜取スイッチ１５から扉閉信号が制御装置１９に入力されていることから、下抜取扉８が下抜取口９を閉鎖していれば、ステップ１０５がＹＥＳになり、ステップ１０６に進む。ステップ１０６では、揚送扉１１が揚送入口１２を開放するように、制御装置１９が扉モータ１７を制御し、ステップ１０７に進む。
【００１１】
ステップ１０５の判定において、下抜取スイッチ１５から扉閉信号が制御装置１９に入力されていないことから、下抜取扉８が下抜取口９を開放していれば、ステップ１０５がＮＯになり、ステップ１０８に進む。ステップ１０８では、揚送扉１１が揚送入口１２を閉鎖するように、制御装置１９が扉モータ１７を制御し、ステップ１０７に進む。ステップ１０７では、制御装置１９が揚送モータ１８を駆動し、コンピュータによる処理の１サイクルを終わる。
【００１２】
上記皿揚球装置の動作によれば、揚送機構１４が揚送動作を停止し、下抜取扉８が下抜取口９を閉鎖した状態において、揚送操作体１０が人為的に操作されると、揚送扉１１が揚送入口１２を開放し、揚送モータ１８を駆動する。これは、ステップ１０１がＹＥＳ、ステップ１０２がＮＯ、ステップ１０５がＹＥＳ、ステップ１０７の処理である。つまり、揚送モータ１８が停止し、下抜取扉８が閉じた状態において、揚送操作体１０が操作されれば、揚送扉１１が揚送入口１２を開放し、揚送機構１４が揚送動作を開始する。よって、球が下皿３から揚送機構１４に取り込まれ、揚送機構１４が球を下皿３から上皿２に揚送する態様になる。
【００１３】
揚送機構１４が揚送動作を停止し、下抜取扉８が下抜取口９を開放した状態において、揚送操作体１０が人為的に操作されると、揚送扉１１が揚送入口１２を閉鎖し、揚送モータ１８を駆動する。これは、ステップ１０１がＹＥＳ、ステップ１０２がＮＯ、ステップ１０５がＮＯ、ステップ１０８、ステップ１０７の処理である。つまり、揚送モータ１８が停止し、下抜取扉８が開いた状態において、揚送操作体１０が操作されれば、揚送扉１１が揚送入口１２を閉鎖し、揚送機構１４が揚送動作を開始する。よって、球が下皿３から揚送機構１４に取り込まれることなく、揚送機構１４が球を上皿２に揚送し、球が揚送機構１４に残存しない態様になる。
【００１４】
揚送機構１４が揚送動作している最中において、揚送操作体１０が人為的に操作されると、揚送扉１１が揚送入口１２を閉鎖し、揚送モータ１８が停止する。これは、ステップ１０１がＹＥＳ、ステップ１０２がＹＥＳ、ステップ１０３、ステップ１０４の処理である。つまり、揚送モータ１８が駆動した状態において、揚送操作体１０が操作されれば、揚送扉１１が揚送入口１２を閉鎖し、揚送機構１４が揚送動作を停止する。よって、球が下皿３から揚送機構１４に取り込まれることなく、球が揚送機構１４に残存する態様になる。
【００１５】
図２のａ図を参照し、皿揚球装置を備えた遊技機としてパチンコ遊技機を例示して説明する。パチンコ遊技機は、遊技機枠２１の内部に図外の遊技盤を交換可能に取り付ける形態である。遊技機枠２１は、固定枠２２の前部に可動枠２３を開閉可能に備え、可動枠２３の前部に上扉２４および下扉１を開閉可能に備える。固定枠２２は、遊技機設置設備に固定される外枠とも呼ばれる。遊技機設置設備は、パチンコ遊技機を設置する遊技店の島と呼ばれる設備である。
【００１６】
可動枠２３は、遊技盤と図１の制御装置１９と図外の発射機構と図外の送出機構および図外の払出機構など遊技に必要な部品を取り付ける前枠とも呼ばれ、左側に位置するヒンジ２５を中心とし、固定枠２２の前で前方に開かれかつ後方に閉じられるように、片開き可能である。上扉２４および下扉１は、左側に位置するヒンジ２６を中心とし、可動枠２３の前で前方に開かれかつ後方に閉じられるように、片開き可能である。上扉２４には、窓２７および前面パネル２８が設けられる。窓２７は、前後方向への貫通孔として構成される。前面パネル２８は、窓２７を後から塞ぐ大きさのガラスまたは合成樹脂からなる光透過性の有る無色な板状に構成される。
【００１７】
下扉１には、揚送出口２９、発射供給口３０、抜取通路出口３１、払出口３２、発射操作機構３３が設けられる。上皿２は、遊技に使用する球を貯蔵する容器である。上皿２における球の接触する底面は、上皿２に取り込まれた球を発射供給口３０に向けて流下させる斜面を構成する。下皿３は、上皿２から抜き取られる球を貯蔵する容器である。下皿３における球の接触する底面は、下皿３の内部に取り込まれた球を下抜取口９および揚送入口１２に向けて流下させる斜面を構成する。
【００１８】
上抜取扉５および上抜取操作体４は、互いに図外のばねの内蔵された連結機構で連結される。そして、上抜取操作体４が遊技者によって連結機構のばねのばね力に抗して操作されるのに伴い、上抜取扉５が連結機構を介して上抜取入口を開放するように動作する。上記上抜取操作体４への遊技者からの操作が解除されるのに伴い、上抜取扉５がばねのばね力で連結機構を介して上抜取入口を閉鎖するように動作する。つまり、上抜取扉５は、上抜取操作体４の操作に伴い、機械式に開閉する駆動源の不要な機構になっている。
【００１９】
下抜取扉８および下抜取操作体７は、互いに図外のばねの内蔵された連結機構で連結される。そして、下抜取操作体７が遊技者によって連結機構のばねのばね力に抗して操作されるのに伴い、下抜取扉８が連結機構を介して下抜取口９を開放するように動作する。上記下抜取操作体７への遊技者からの操作が解除されるのに伴い、下抜取扉８がばねのばね力で連結機構を介して下抜取口９を閉鎖するように動作する。つまり、下抜取扉８は、下抜取操作体７の操作に伴い、機械式に開閉する駆動源の不要な機構になっている。
【００２０】
そして、遊技盤が可動枠２３に装着され、可動枠２３が閉じられて固定枠２２に開閉不能に支持され、上扉２４および下扉１が閉じられて可動枠２３に開閉不能に支持されると、前面パネル２８と遊技盤の前面との間における図外のガイドレールで囲まれた部分が発射機構から発射された球の飛び交う遊技領域になる。ガイドレールは、上扉２４または前面パネル２８または遊技盤に設けられる。遊技領域は、遊技機枠２１の前から窓２７および前面パネル２８を通して視認可能になる。
【００２１】
その後、パチンコ球と呼ばれる球が上皿２に入れられ、発射操作機構３３が人為的に操作されると、送出機構が球を上皿２の発射供給口３０から発射機構に１個ずつ送り出し、発射機構が発射操作機構３３の操作量に応じた発射力で１個ずつ遊技領域の上部に向けて発射する。遊技領域の上部に到達した球が、遊技領域を流下する過程において、遊技領域における図外の入賞部品に入賞すると、払出機構が遊技者への賞球としての球を払出口３２より上皿２に払い出す。球が上皿２に貯蔵された状態において、遊技者が上抜取操作体４を操作すると、上抜取扉５が抜取通路６を開放する。これによって、球が、上皿２から抜取通路６および抜取通路出口３１を経由して下皿３に排出されて貯蔵される。
【００２２】
図２のｂ図において、揚送視認部１３は、下扉１の前面構造体３５を前後方向に貫通する開口として構成される。揚送機構１４の揚送筐体３６は、揚送視認部１３を後から塞ぐように前面構造体３５の後に固定される。揚送筐体３６の内部には、搬送体３７が設けられる。よって、遊技者が、遊技機枠２１の前からつまり下扉１の前から、揚送視認部１３を通して、下皿３から上皿２に搬送される球を見ることができる。搬送体３７は、心棒３８と螺旋体３９とを備える。
【００２３】
図３を参照し、下抜取扉８および揚送扉１１の部分について説明する。下抜取扉８が閉じた場合、下抜取扉８の上面は球を揚送入口１２に向けて流下させる斜面として構成される。揚送扉１１が実線で示す位置に閉じた場合、揚送扉１１の上面は球を下抜取口９に向けて流下させる斜面として構成される。
【００２４】
よって、揚送入口１２が閉鎖されかつ下抜取口９が開放されると、遊技者が球に触れることがなく、球が矢印Ｘ１で示すように下皿３の下抜取口９から下皿３の下方外部に落下して遊技機設置設備の棚４４に置かれた球箱４５に取り込まれるという利点がある。下抜取口９が閉鎖されかつ揚送入口１２が開放されると、遊技者が球に触れることがなく、球が矢印Ｘ２で示すように下皿３から揚送入口１２を経由して揚送筐体３６に排出されるという利点がある。
【００２５】
閉じた下抜取扉８と閉じた揚送扉１１との間の距離Ｄは、１個の球の半径よりも小さな寸法に設定され、下抜取扉８が開放しかつ揚送扉１１が閉鎖した場合、球が距離Ｄの部分に滞留しないようになっているので、球が下皿３に残存することなく、下抜取口９から下皿３の下方外部に排出されるという利点がある。
【００２６】
図４を参照し、揚送扉１１および揚送機構１４について説明する。揚送扉１１は、扉モータ１７によって、扉軸４３を中心として開閉される。つまり、遊技者が揚送操作体１０を操作すると、扉モータ１７が駆動し、揚送扉１１が扉軸４３を中心として仮想線で示す閉鎖位置から実線で示す開放位置に移動しかつ停止して揚送入口１２を開放する。これによって、球が、矢印Ｘ３で示すように、揚送入口１２から揚送扉１１の上面を経由して筐体入口４１から揚送筐体３６の内部に取り込まれる。
【００２７】
搬送体３７の心棒３８は、揚送筐体３６の内部空間たる通路の曲線的な中心線上に配置される曲線的な形状の丸棒として構成される。搬送体３７の螺旋体３９は、心棒３８を中心として回転した場合に、心棒３８や通路部に倣い変形し得る可撓性を有する。揚送モータ１８のケースが揚送筐体３６に固定される。揚送モータ１８のモータ軸などの出力軸が螺旋体３９の一端部に図外の連結機構を介して接続される。揚送筐体３６の下部には、筐体入口４１が設けられる。筐体入口４１は、揚送入口１２に接続される。揚送筐体３６の上部には、筐体出口４２が設けられる。筐体出口４２は、揚送出口２９に接続される。よって、揚送モータ１８の駆動によって回転された螺旋体３９が筐体入口４１から揚送筐体３６の内部に取り込まれた球を上方に搬送する。この上方に搬送された球は、矢印Ｘ４で示すように搬送体３７の筐体出口４２から揚送出口２９を経由して上皿２に排出される。
【００２８】
上皿２に排出された球は、上抜取扉５が開放されることによって、矢印Ｘ５で示すように上皿２から抜取通路６および抜取通路出口３１を経由して下皿３に排出される。
【産業上の利用可能性】
【００２９】
図５は、発明を実施するための異なる形態に係る皿揚球装置を示す。図５の皿揚球装置が図１の皿揚球装置と異なる構造は次のとおりである。図５では、上皿２、下皿３、下抜取操作体７、下抜取扉８、揚送扉１１、揚送入口１２、揚送機構１４、扉モータ１７、制御装置１９などについては、図１を参照。図５において、揚送機構１４が揚送動作している最中において、下抜取操作体７が下抜取扉８を閉鎖するように操作されると、揚送扉１１が揚送入口１２を開放するように、制御装置１９が扉モータ１７を駆動する。これは、ステップ１０１がＮＯ、ステップ１０９がＹＥＳ、ステップ１１０がＹＥＳ、ステップ１１１の処理である。つまり、揚送機構１４が揚送動作している最中において、下抜取扉８が閉じられれば、揚送扉１１が開放される。よって、球が下皿３から揚送機構１４に取り込まれ、揚送機構１４が球を下皿３から上皿２に揚送する態様になる。
【００３０】
図５において、揚送機構１４が揚送動作している最中において、下抜取操作体７が下抜取扉８を開放するように操作されると、揚送扉１１が揚送入口１２を閉鎖するように、制御装置１９が扉モータ１７を駆動する。これは、ステップ１０１がＮＯ、ステップ１０９がＹＥＳ、ステップ１１０がＮＯ、ステップ１１２の処理である。つまり、揚送機構１４が揚送動作している最中において、下抜取扉８が開放されると、揚送扉１１が閉鎖される。よって、揚送機構１４が球を下皿３から上皿２に揚送する状態を維持しつつ、球が下皿３から下方外部に抜き取られ、球が揚送機構１４に残存しない態様になる。よって、異なる形態に係る皿揚球装置によれば、遊技者が球に触れることがなく、球が下皿から揚送入口を経由して揚送機構に送られるという利点がある。
【００３１】
図６は下扉１に対する揚送機構１４の配置の異なる形態を示す。図６のａ図において、揚送機構１４の揚送筐体３６の一部が下扉１における前面構造体３５の前に配置される。図６のｂ図において、前面構造体３５には収容部４６が前面構造体３５の前面より後に窪む形状に設けられる。収容部４６には揚送筐体３６が取り込まれる。図６のａ図およびｂ図に示すように、揚送筐体３６の一部が下扉１の前に配置され、かつ、当該揚送筐体３６の一部が例えば透明な合成樹脂により形成されるというように外部から内部が見えるように構成されれば、揚送視認部１３が下扉１から省略されても、遊技者が下扉１の前から球の揚送状態を確認することが出来る。
【図面の簡単な説明】
【００３２】
【図１】皿揚球装置のブロック図（最良の形態）。
【図２】ａ図はパチンコ遊技機における遊技機枠の斜視図、ｂ図は揚送機構の断面図（最良の形態）。
【図３】下皿における下抜取扉および球揚送扉周りの断面図（最良の形態）。
【図４】皿揚球装置の内部の模式図（最良の形態）。
【図５】皿揚球装置のフローチャート（異なる形態）。
【図６】ａ図およびｂ図は揚送機構の断面図（異なる形態）。
【図７】皿揚球装置の内部の模式図（従来）。
【符号の説明】
【００３３】
１は下扉、２は上皿、３は下皿、４は上抜取操作体、５は上抜取扉、６は抜取通路、７は下抜取操作体、８は下抜取扉、９は下抜取口、１０は揚送操作体、１１は揚送扉、１２は揚送入口、１３は揚送視認部、１４は揚送機構、１５は下抜取スイッチ、１６は揚送スイッチ、１７は扉モータ、１８は揚送モータ、１９は制御装置、２０は欠番、２１は遊技機枠、２２は固定枠、２３は可動枠、２４は上扉、２５はヒンジ、２６はヒンジ、２７は窓、２８は前面パネル、２９は揚送出口、３０は発射供給口、３１は抜取通路出口、３２は払出口、３３は発射操作機構、３４は欠番、３５は前面構造体、３６は揚送筐体、３７は搬送体、３８は心棒、３９は螺旋体、４０は欠番、４１は筐体入口、４２は筐体出口、４３は扉軸、４４は棚、４５は球箱。
【図１】
2008259730.tif 000003
【図２】
2008259730.tif 000004
【図３】
2008259730.tif 000005
【図４】
2008259730.tif 000006
【図５】
2008259730.tif 000007
【図６】
2008259730.tif 000008
【図７】
2008259730.tif 000009